(57)【特許請求の範囲】
【請求項１】
処理前のカードを貯留するために装置本体の一方側に設けられた未処理カードスタッカと、
処理後のカードを収納するために前記装置本体の他方側に設けられた処理済みカードスタッカと、
前記未処理カードスタッカから未処理カードを受け取るべく第１の搬送路上に設けられた第１の記録部と、
該第１の記録部の下方において第２の搬送路上に設けられた第２の記録部と、
前記カードの搬送方向を変更する反転ユニットを備えて前記第１および第２の搬送路に対する前記カードの送受が可能なように設けられ、前記第１の記録部と前記第２の記録部との間で前記カードを転送する転送部とを備え、
前記転送部が、前記第１の記録部から前記第１の搬送路を通じて受け取った前記カードを前記第２の搬送路を通じて前記第２の記録部に送り込み、
前記第２の記録部が、前記転送部から前記第２の搬送路を通じて受け取った前記カードに対し情報記録を行なった後、該カードを前記転送部に戻すように前記第２の搬送路を逆方向に搬送し、
しかる後、前記転送部が前記第２の記録部から戻された前記カードを前記処理済みカードスタッカに排出するように構成されてなることを特徴とする情報記録装置。
【請求項２】
前記転送部が、前記第１の搬送路および第２の搬送路に対して転向可能に回転するとともに、前記カードを挟持して搬送する搬送ローラ対を有することを特徴とする請求項１に記載の情報記録装置。
【請求項３】
前記第２の記録部が、前記カードを正逆方向に搬送可能な複数対の搬送ローラを有することを特徴とする請求項１に記載の情報記録装置。
【請求項４】
前記第１の記録部が印刷記録を行うプリンタユニットからなり、前記第２の記録部が磁気的乃至電気的記録を行うエンコーダユニットからなることを特徴とする請求項１乃至請求項３のいずれか一項に記載の情報記録装置。
【発明の詳細な説明】
【０００１】
【発明の属する技術分野】
本発明は、複数の記録部を有する情報記録装置、詳しくは、平板状のカード等の記録媒体の少なくとも片面上に画像、文字、その他の情報を、印刷記録、磁気的記録、電気的記録などの記録方式により記録を行う第１の記録部と第２の記録部を備えた情報記録装置に関するものである。
【０００２】
【従来の技術】
従来より、記録媒体の一例として、クレジットカード、ライセンスカード、ＩＤカード等を作成するについては、プラスチックカード等の素材となるカードの片面もしくは両面に、人物の顔写真等の画像、人名等の各種文字をカラーでまたは単色で印刷記録し、これに加えてカードに形成した磁気記録部またはＩＣ記録部等のデータ記録部に個人情報等の各種情報を磁気的または電気的に記録することが要望されている。
【０００３】
上記点から、１台の情報記録装置に複数の記録部を設置することが考えられる。例えば、第１の記録部としてカラー画像を印刷するプリンタユニットを、第２の記録部として情報を磁気的に記録するエンコーダユニットを備えたもの、また、第１の記録部および第２の記録部ともに別種の印刷を行うプリンタユニットを備えたもの、さらに、両記録部ともに磁気的または電気的に情報を記録するエンコーダユニットを備えたものなどが考えられる。
【０００４】
上記のように複数の記録部を備えた情報記録装置を構成するについて、公知の構造（例えば、実開平４−８１７４５号公報参照）では、上記記録部をカード等の記録媒体の直線的な搬送経路に沿って順に平面的に配置している。
【０００５】
【発明が解決しようとする課題】
しかるに、前記のような情報記録装置においては、例えばカード発行窓口等においてパソコンに接続されて設置されることから、設置面積のコンパクト化が要求されるもので、前述のように複数の記録部を記録媒体の搬送方向に平面的に並設したものでは、装置全体としてのサイズが平面的に大きくなり、そのコンパクト化、軽量化を図る際の障害となっている。
【０００６】
そこで、本発明は上記事情に鑑み、複数の記録部を有する情報記録装置を構成するについて、装置の小型化を図って、特にその占有面積の低減化を実現する情報記録装置を提供せんとするものである。
【０００７】
【課題を解決するための手段】
本発明の情報記録装置は、処理前のカードを貯留するために装置本体の一方側に設けられた未処理カードスタッカと、処理後のカードを収納するために前記装置本体の他方側に設けられた処理済みカードスタッカと、前記未処理カードスタッカから未処理カードを受け取るべく第１の搬送路上に設けられた第１の記録部と、該第１の記録部の下方において第２の搬送路上に設けられた第２の記録部と、前記カードの搬送方向を変更する反転ユニットを備えて前記第１および第２の搬送路に対する前記カードの送受が可能なように設けられ、前記第１の記録部と前記第２の記録部との間で前記カードを転送する転送部とを備え、
前記転送部が、前記第１の記録部から前記第１の搬送路を通じて受け取った前記カードを前記第２の搬送路を通じて前記第２の記録部に送り込み、前記第２の記録部が、前記転送部から前記第２の搬送路を通じて受け取った前記カードに対し情報記録を行なった後、該カードを前記転送部に戻すように前記第２の搬送路を逆方向に搬送し、
しかる後、前記転送部が前記第２の記録部から戻された前記カードを前記処理済みカードスタッカに排出するように構成されてなることを特徴とするものである。
【０００８】
前記転送部は、前記第１の搬送路および第２の搬送路に対して転向可能に回転するとともに、前記カードを挟持して搬送する搬送ローラ対を有するものが好適である。
【０００９】
前記第２の記録部は、前記カードを正逆方向に搬送可能な複数対の搬送ローラを有するものが好適である。
【００１０】
情報記録装置を構成する上で好ましい形態は、前記第１の記録部が印刷記録を行うプリンタユニットからなり、前記第２の記録部が磁気的乃至電気的記録を行うエンコーダユニットからなり、第１の記録部を上部に、第２の記録部を下部に配設したものである。
【００１１】
【発明の効果】
上記のような本発明の情報記録装置によれば、第１の記録部と第２の記録部とを上下に配設し、両記録部に対して記録媒体を転送部によって搬送することで、所定の記録処理が効率よく行えるとともに、記録部の上下配置によって装置の小型化、特に占有面積の小さな記録装置が構成でき、汎用性が高まる。
【００１２】
【発明の実施の形態】
以下、本発明の各実施の形態を図面に沿って説明する。各実施の形態においては記録媒体としてカードを使用した例について示している。
【００１３】
＜第１の実施の形態＞
図１は本例の情報記録装置の正面構成図である。本例の情報記録装置は、装置本体１の一方側（右側）の上部に記録媒体供給部２が、これと対向する他方側の上部に記録媒体排出部３が設けられ、記録媒体供給部２と記録媒体排出部３との間の鎖線で示す第１の搬送路上に転送部５と第１の記録部６が設置されている。上記第１の記録部６の下方に鎖線で示す第２の搬送路上には第２の記録部７が設置されている。さらに、前記記録媒体供給部２の下方には異常記録媒体（エラーカード）を排出するリジェクト部４が、前記記録媒体排出部３の外部には正常に作成された記録媒体を収納するスタッカ１１が設けられている。
【００１４】
前記第１の記録部６は、記録媒体としてのカードＣに顔写真等のカラー画像を転写印刷するとともに黒色印字を行い、さらに保護層を被覆するプリンタユニットで構成され、転送部５と第１の記録部６との間にはカード清浄用のクリーニング手段８が配設されている。第２の記録部７は、カードＣのデータ記録部（磁気記録部またはＩＣ記録部）に情報を磁気的または電気的に記録するエンコーダユニットで構成されている。
【００１５】
次に上記各部の構造を具体的に説明する。
【００１６】
ａ．記録媒体供給部
記録媒体供給部２は、処理前のカードＣを積層体の形で貯留する未処理カードスタッカ１３と、該スタッカ１３の下部から１枚ずつカードＣを送り出すカード供給ローラ１４とを有する。上記カードＣは、プラスチック、紙等により形成され、比較的撓み性に乏しく平面状態を維持するものであり、また、少なくともその片面にはデータ記録部が設けられている。このデータ記録部は、磁気ストライプ等の磁気記録部または、ＩＣカードの場合には接点で構成される。
【００１７】
ｂ．転送部
転送部５は、図２ないし図５にも示すように、上方の第１の記録部６に対応する位置の第１反転ユニット５Ａと、下方の第２の記録部７に対応する位置の第２反転ユニット５Ｂとの２つの反転ユニットを備え、第１反転ユニット５Ａはカード供給ローラ１４から送出されたカードＣを受け取り可能であり、第２反転ユニット５Ｂは第１反転ユニット５Ａとの間でカードＣが受け渡し可能であるとともに、リジェクト部４にカードＣが排出可能に設定されている。上記第１反転ユニット５Ａと第２反転ユニット５Ｂとは基本構造は同一である。
【００１８】
第１反転ユニット５Ａは、回転駆動される搬送ローラ１７と、これに圧接するウェイトローラ１８とによってカードＣを挟持して搬送するものであり、この搬送ローラ１７とウェイトローラ１８は両側にそれぞれ１対ずつ配設されている。上記搬送ローラ１７は中心を貫通するローラ軸１７ａによって支持され、このローラ軸１７ａの２カ所に所定間隔でグリップローラに構成された所定幅の搬送ローラ１７が設けられている。
【００１９】
両側に２本平行に配設されたローラ軸１７ａは、前後端部がそれぞれ回転枠２０の前後の縦板２０ａに回転自在に支承されている。両縦板２０ａは上下の連結部材２０ｂ，２０ｃによって相互に連結されて一体に回転する回転枠２０が構成される。上方の連結部材２０ｂには、ウェイトローラ１８を回転自在に支承した加圧バネ２１が固着される。この加圧バネ２１は基部が連結部材２０ｂに固定され、基部から両側に左右の搬送ローラ１７に対して延びた延長部の先端部分にウェイトローラ１８がピンによって回転可能に保持されている。これにより、ウェイトローラ１８が加圧バネ２１の弾性付勢力によって搬送ローラ１７に押圧される。
【００２０】
前記回転枠２０の前後の縦板２０ａの外面には、その中心部分に前記ローラ軸１７ａと平行に前後方向に延びる反転軸２２が固着され、この反転軸２２が装置本体１における前後の内部フレーム１５の軸受部に回転自在に支持されている。これにより、上記反転軸２２を中心として回転枠２０が回転し、両側の搬送ローラ１７とウェイトローラ１８の対がともに回転して、上下方向に並んだり左右が逆転した位置に転向可能である。
【００２１】
後部側の反転軸２２には、後内部フレーム１５より後方に突出した部分に、大径の反転用第４伝達プーリＰ１４が該反転軸２２と一体に回転するように固着されている。また、この後部側の反転軸２２における後内部フレーム１５より前側の部分には、大径の搬送用第２伝達プーリＰ２２およびこれと一体の小径の搬送用第３伝達プーリＰ２３が、上記反転軸２２に対して遊動自在に嵌挿されている。一方、前部側の反転軸２２には、前内部フレーム１５より後側の部分に自由回転する中間プーリＰ２７が遊嵌され、前内部フレーム１５より前側の先端部分には円形の回転位置検出板２３が固着されている。
【００２２】
上記回転位置検出板２３には円周に９０゜毎に３カ所に切欠き２３ａ（図２参照）が形成され、これに対応して外周部に９０゜毎に回転位置検出センサー２４が配設されている。図２に示した状態では各センサー２４に切欠き２３ａが位置して、各センサー２４の出力はＯＮ状態にあり、この状態から回転位置検出板２３が時計回りまたは反時計回りに９０゜回転した位置、および１８０゜回転した位置では、いずれか１つの回転位置検出センサー２４には切欠き２３ａが存在せず、このセンサー２４の出力がＯＦＦで他の２つのセンサー２４の出力がＯＮであることでその回転位置の検出を行うように構成されている。
【００２３】
また、一方のローラ軸１７ａ（図５で右側）の後端部には搬送用第４伝達プーリＰ２４が一体に回転するように取り付けられ、これと前記反転軸２２の搬送用第３伝達プーリＰ２３との間にタイミングベルトＢ４が掛けられる。さらに上記一方のローラ軸１７ａの前端部には搬送用第５伝達プーリＰ２５が、他方のローラ軸１７ａの前端部には搬送用第６伝達プーリＰ２６が固着され、両搬送用伝達プーリＰ２５，Ｐ２６には両ローラ軸１７ａの回転の同期を図るタイミングベルトＢ５が掛けられ、その背面には前記反転軸２２の中間プーリＰ２７が当接する。
【００２４】
上記構造は第２反転ユニット５Ｂにおいても同様に構成され、同一部分には同一符号を付している。なお、第２反転ユニット５Ｂにおいては、前部側の反転軸２２の先端部には前記回転位置検出板２３は設置されていない。
【００２５】
そして、上記第１反転ユニット５Ａおよび第２反転ユニット５Ｂにおける搬送駆動並びに反転駆動の機構について説明する。後内部フレーム１５には第１反転ユニット５Ａと第２反転ユニット５Ｂとの中間側方（図３参照）の一方に搬送駆動モータ２６（ＤＣモータ）が設置され、後内部フレーム１５の前側において上記搬送駆動モータ２６の駆動軸２６ａに取り付けられた搬送用第１伝達プーリＰ２１と、第１反転ユニット５Ａおよび第２反転ユニット５Ｂにおける各反転軸２２の大径の搬送用第２伝達プーリＰ２２との間にタイミングベルトＢ３が掛けられる。これにより、搬送駆動モータ２６の回転が減速されてローラ軸１７ａに伝達されて搬送ローラ１７の回転駆動が行われる。
【００２６】
なお、上記搬送駆動モータ２６の駆動軸２６ａの後端部には搬送量と搬送速度制御用の円形のクロック板２７が取り付けられ、その外周部に均等に開口されたスリットに対応してクロック検出センサー２８が設置される。
【００２７】
さらに前記後内部フレーム１５に上記搬送駆動モータ２６と反対側の側方に立設された中間軸３１には、大径の反転用第２伝達プーリＰ１２および小径の反転用第３伝達プーリＰ１３（中間プーリ）が回転自在に支承されている。さらに別部の内部フレーム１５には反転駆動モータ３２（ステッピングモータ）が設置され、この反転駆動モータ３２の駆動軸３２ａに取り付けられた反転用第１伝達プーリＰ１１と、上記大径の反転用第２伝達プーリＰ１２との間にタイミングベルトＢ１が掛けられる。同様にその小径の反転用第３伝達プーリＰ１３と、上下の第１反転ユニット５Ａおよび第２反転ユニット５Ｂにおける各反転軸２２の反転用第４伝達プーリＰ１４，Ｐ１４との間にタイミングベルトＢ２が掛けられる。これにより反転駆動モータ３２の回転が減速されて反転軸２２に伝達されて回転枠２０の回転駆動が行われる。
【００２８】
なお、前記反転中心となる反転軸２２には、搬送用第２および第３伝達プーリＰ２２，Ｐ２３が設置されていることで、反転駆動モータ３２の作動によって上記反転軸２２を回転させて第１反転ユニット５Ａおよび第２反転ユニット５Ｂを９０゜もしくは１８０゜回転させた場合には、搬送駆動モータ２６、タイミングベルトＢ３等の負荷によって反転軸２２の搬送用第２および第３伝達プーリＰ２２，Ｐ２３は回転しないが、この搬送用第３伝達プーリＰ２３との間にタイミングベルトＢ４が掛けられているローラ軸１７ａの搬送用第４伝達プーリＰ２４は回転枠２０の回転に伴い反転軸２２に対して相対的に回転することになり、これにより反転角度に対応した量だけ搬送ローラ１７が回転して保持しているカードＣを搬送することになる。これに対し、第１反転ユニット５Ａにおいては、上記搬送用第３伝達プーリＰ２３にワンウェイクラッチ内蔵のプーリを用いることで、反転作動時には該搬送用第３伝達プーリＰ２３は搬送方向と逆方向に空転して搬送ローラ１７は回転しないように構成する。このワンウェイクラッチを採用することで搬送方向は限定されるが、第１反転ユニット５Ａは一方向（図１において右から左方向）のみに搬送できれば所望の機能が得られる（詳細は後述する）。
【００２９】
また、第２反転ユニット５Ｂにおいては上記のようなワンウェイクラッチは設置していない。これは、第２反転ユニット５ＢではカードＣを両方向に搬送する必要があるとともに、この第２反転ユニット５Ｂ内にカードＣが存在した状態での該ユニットの回転は最大９０゜であることから、この回転に対応してカードＣを移動させる距離（搬送用第３伝達プーリＰ２３の１／４回転に対応する距離）だけカードＣの移動が許容できる空間が存在すれば問題とならないためである。ただしこの空間がない場合には、反転軸２２と搬送用第２伝達プーリＰ２２との間に電磁クラッチ等の断接機構を設置する。この電磁クラッチは、反転作動時に接続作動して反転軸２２と搬送用第２伝達プーリＰ２２を一体に回転するように制御することにより、上記の反転に伴う搬送を防止できる。なお、このような電磁クラッチを前記第１反転ユニット５Ａに前記ワンウェイクラッチに代えて設置するようにしてもよい。
【００３０】
その他、上記第１反転ユニット５Ａおよび第２反転ユニット５Ｂには、カード位置を検出するカード検出センサが設置されている（図２参照）。まず、第１反転ユニット５Ａの入口部に上下方向に発光器３５および受光器３６からなる第１カード検出センサＳ１が、第１反転ユニット５Ａおよび第２反転ユニット５Ｂの中心を上下に貫通する位置に発光器３７および受光器３８からなる第２カード検出センサＳ２が、第１反転ユニット５Ａと第２反転ユニット５Ｂとの間に左右方向に発光器３９および受光器４０からなる第３カード検出センサＳ３がそれぞれ配設されている。
【００３１】
上記転送部５の構成により、反転駆動モータ３２が正転または逆転駆動されると、その駆動が反転用第１伝達プーリＰ１１から反転用第２伝達プーリＰ１２に伝達され、反転用第３伝達プーリＰ１３から第１反転ユニット５Ａおよび第２反転ユニット５Ｂのそれぞれの反転用第４伝達プーリＰ１４に伝達されて両ユニット５Ａ，５Ｂの反転軸２２が回転し、これにより上下の回転枠２０を同一方向に回転駆動する。
【００３２】
一方、搬送駆動モータ２６が正転もしくは逆転駆動されると、その駆動が搬送用第１伝達プーリＰ２１から搬送用第２伝達プーリＰ２２に伝達され、搬送用第３伝達プーリＰ２３から第１反転ユニット５Ａおよび第２反転ユニット５Ｂのそれぞれの搬送用第４伝達プーリＰ２４に伝達されて一方のローラ軸１７ａを回転し、その回転が搬送用第５および第６伝達プーリＰ２５，Ｐ２６によって他方のローラ軸１７ａにも伝達され、両方のローラ軸１７ａは同一方向に回転し、搬送ローラ１７を同一方向に駆動する（なお、第１反転ユニット５Ａにおいては前述のように正転方向のみ駆動される）。また、第１反転ユニット５Ａおよび第２反転ユニット５Ｂの全ての搬送ローラ１７は同期して回転する。
【００３３】
第１反転ユニット５Ａは、記録媒体供給部２から供給されたカードＣを受け、そのまま第１の記録部６に搬送するか、保持した状態で９０゜回転して同様に９０゜回転している第２反転ユニット５Ｂに転送するか、逆方向に９０゜回転して第２反転ユニット５Ｂから送り出されたカードＣを受け取る。また、第２反転ユニット５Ｂは９０゜回転して第１反転ユニット５ＡとカードＣの受け渡しが可能であるとともに、水平状態で第２の記録部７にカードＣを搬入出したり、エラーカードをリジェクト部４に排出するものである。さらに、第１反転ユニット５Ａは、１８０゜回転してカードＣの表裏を反転して搬送可能である（前記電磁クラッチを設置すれば第２反転ユニット５Ｂにおいても可能）。
【００３４】
ｃ．クリーニング手段
クリーニング手段８は、上方のクリーニングローラ４５と下方の搬送ローラ４６とによって構成され、クリーニングローラ４５は表面に粘着性が付与された粘着ローラで構成されるとともに洗浄・交換のために引出し可能に設けられ、その詳細構造を図６から図１０に基づいて説明する。
【００３５】
このクリーニング手段８の搬送ローラ４６は、両端軸部４６ａが下方の水平方向に延びるスライドテーブル４７に立設されたブラケット４７ａに回転自在に支持され、また、前記クリーニングローラ４５は、その両端軸部４５ａが上記ブラケット４７ａの上下方向に延びる溝に回転可能にかつ着脱可能に挿入され、このクリーニングローラ４５の周面が上記搬送ローラ４６の周面に接した状態に支持される。該クリーニングローラ４５の両端軸部４５ａにはスプリング４８（図７参照）が係合されて該クリーニングローラ４５が搬送ローラ４６側に付勢され、このクリーニングローラ４５の粘着力によってカード表面に付着している塵埃等の異物を除去する。その駆動は、後述のプラテン搬送ユニットのプラテン駆動力が搬送ローラ４６に伝達され、クリーニングローラ４５はその粘着力で搬送ローラ４６の回転に追従して回転し、カードＣの搬送手段を兼ねている。さらに、上記クリーニングローラ４５および搬送ローラ４６はスライドテーブル４７の移動によって前面側に引き出される。
【００３６】
すなわち、前記スライドテーブル４７は前後の内部フレーム１５に両端が固着されたチャンネル状のスライドガイド５１に軸方向にスライド可能に支持され、このスライドテーブル４７の前端にはカバー５２が設けられるとともに、このカバー５２の背面に突設された係合用ラッチ５３がスライドテーブル４７の挿入時に前内部フレーム１５に配設した被係合部５４に係合される。引き出されたクリーニングローラ４５および搬送ローラ４６は、水またはアルコール等による洗浄で付着した塵埃を除去するか、新しいものとの交換を行う。
【００３７】
また、前記搬送ローラ４６の後端軸部４６ａには半径方向に連結ピン５５が植設され、一方、その軸線延長上の内部フレーム１５には連結軸５６が回転自在に支承されている。この連結軸５６の先端部には軸方向に移動可能な駆動連結ジョイント５７が設けられ、前記搬送ローラ４６の連結ピン５５と係合連結して一体に回転可能である。上記駆動連結ジョイント５７は圧接バネ５８によって搬送ローラ４６側に付勢されている。さらに、前記連結軸５６には、後内部フレーム１５より後方部分に駆動プーリＰ３８が固着され、後述の第１キャプスタンローラ６１のクリーニング駆動プーリＰ３４との間にタイミングベルトＢ９（図１２参照）が掛けられて、搬送駆動が行われる。
【００３８】
さらに、前記クリーニングローラ４５より第１反転ユニット５Ａ側におけるスライドテーブル４７のブラケット４７ａには、除電ブラシ５９が設置されている。この除電ブラシ５９は、先端が搬送されるカード表面に接触可能で、カードＣに帯電している静電気を除去すると同時に付着している大きな塵埃を除去し、クリーニングローラ４５への付着を低減する。
【００３９】
ｄ．第１の記録部（プリンタユニット）
前記第１の記録部６は、カードＣの搬送路を構成する要素として、前記クリーニングローラ４５に続いて、カードＣの搬送方向に順次、第１キャプスタンローラ６１、プラテンローラ６３、第２キャプスタンローラ６２、および記録媒体排出部３に臨む送出ローラ６６が配設され、これらによって搬送ユニットが構成されるとともに、プラテンローラ６３に対してサーマルヘッド９が転写フィルムＦを介して圧接可能であり、これらの具体的構造を図１１から図１４に沿って説明する。
【００４０】
上記第１キャプスタンローラ６１および第２キャプスタンローラ６２は、その両端に延びる第１キャプスタン軸６１ａおよび第２キャプスタン軸６２ａによって前記内部フレーム１５に回転自在に支持される。この第１キャプスタンローラ６１および第２キャプスタンローラ６２（グリップローラ）は略カードＣの幅に匹敵する長さを有し、その中心部分の上方には幅の小さい第１ピンチローラ６４および第２ピンチローラ６５が、前後方向に延びる第１ピンチ軸６４ａおよび第２ピンチ軸６５ａに回転自在に支持されている。両ピンチローラ６４，６５は金属製であるとともに、カードＣとの接触面積の小さい樽型に形成され、後述の固定ガイド７６および可動ガイド７７によるカードＣの整列移動を許容している。また、前記第１ピンチ軸６４ａおよび第２ピンチ軸６５ａはスプリング６８が掛けられて下方に付勢され、第１ピンチローラ６４および第２ピンチローラ６５を第１キャプスタンローラ６１および第２キャプスタンローラ６２側に付勢している。両者は圧接せずカードＣの厚みより小さい間隔で離れている。
【００４１】
また、送出ローラ６６は前後方向に延びる送出軸６６ａによって支持されるとともに、その上方には第３ピンチローラ６７が両端軸部６７ａに掛けられたスプリング６９によって下方に付勢されて配設されている。
【００４２】
一方、前記プラテンローラ６３は前後方向に延びるプラテン軸６３ａによって回転自在に支持され、プラテンモータ７０の駆動力が伝達されて印刷時に高精度にカードＣを搬送する。またこのプラテンローラ６３を介して第１および第２キャプスタンローラ６１，６２、送出ローラ６６の駆動が行われる。
【００４３】
この駆動系を説明すれば、プラテン軸６３ａの後端部には第４駆動ギヤＧ４が、さらに後端には第２キャプスタンローラ駆動用の第１伝達プーリＰ３１が固着されるとともに、該プラテン軸６３ａの前端部には第１キャプスタンローラ駆動用の第２伝達プーリＰ３２が固着されている。また、第１キャプスタン軸６１ａの前端部には第３伝達プーリＰ３３が固着されプラテン軸６３ａの前端第２伝達プーリＰ３２との間にタイミングベルトＢ６が掛けられる。この第１キャプスタン軸６１ａの後端部にはクリーニングローラ駆動用伝達プーリＰ３４が固着され、前記クリーニングローラ４５に対する伝達プーリＰ３８との間にタイミングベルトＢ９が掛けられる。
【００４４】
一方、第２キャプスタン軸６２ａには後端部に第５伝達プーリＰ３５が固着され、前記プラテン軸６３ａの後端第１伝達プーリＰ３１との間にタイミングベルトＢ７が掛けられる。されに第２キャプスタン軸６２ａの前端部には送出ローラ駆動用伝達プーリＰ３６が固着され、送出軸６６ａの前端部に設けられた伝達プーリＰ３７との間にタイミングベルトＢ８が掛けられる。
【００４５】
そして、前記後内部フレーム１５の補助フレーム１５ａにはプラテンモータ７０（ステッピングモータ）が取り付けられ、このプラテンモータ７０の駆動軸７０ａには第１駆動ギヤＧ１が固着されている。また、プラテンモータ７０とプラテン軸６３ａとの間には中間軸７２が配設され、この中間軸７２に第１駆動ギヤＧ１と噛合する第２駆動ギヤＧ２および前記第４駆動ギヤＧ４と噛合する第３駆動ギヤＧ３が一体に回転するように支持されている。このギヤ列により減速されてプラテンローラ６３に回転が伝達される。
【００４６】
なお、プラテンローラ６３と第１キャプスタンローラ６１との間には、カードＣの位置検出用にフォトインタラプタによるカード検出センサ７４が設置されている。
【００４７】
また、搬送路の後方側には第１キャプスタンローラ６１および第２キャプスタンローラ６２の近傍においてカードＣの一方側を案内する固定ガイド７６が配設されるとともに、前側にはカードＣの他側を案内する可動ガイド７７が配設されている。可動ガイド７７は左右両端が搬送路から離れる前方向に屈曲し、この両端の下端部がピン７８によって中央フレーム８０に回動自在に支持されている。さらに、可動ガイド７７の中央下端部にスプリング７９（図１３参照）の一端が連結されて、該可動ガイド７７は上端部が搬送路側に傾動し、カードＣの他側を押して一側を前記固定ガイド７６に接触させる。なお、前記第１および第２プラテンローラ６１，６２の両側には、搬送路に沿って下面を形成する端部プレート８１，８１が設置されている。
【００４８】
次に、前記プラテンローラ６３の上にはサーマルヘッド９を内装したサーマルヘッドユニット９０（図１参照）が接離移動可能に設けられている。このサーマルヘッドユニット９０はホルダー９１の先端部にプラテンローラ６３に圧接可能なサーマルヘッド９（ラインヘッド）を有し、該サーマルヘッド９とプラテンローラ６３との間に転写フィルムＦが介装される。
【００４９】
サーマルヘッドユニット９０は、ホルダー９１が図示しないガイドに沿って上下動自在に配設されるとともにスプリングによって上方に付勢され、上端部が昇降アーム９２の先端に当接して停止する。昇降アーム９２は軸９２ａによって揺動自在に支持され、ねじりバネ９３によって先端部が下方に付勢されている。また、その中間ホロア部９２ｂが昇降用カム９４のカム面に当接するものであり、昇降用カム９４の回転に応じて昇降アーム９２が上下揺動しそれに応じてサーマルヘッド９が昇降移動するように構成されている。なお、上記サーマルヘッド９に隣接して冷却用の空冷ファン９５が設置されている。
【００５０】
前記転写フィルムＦは、繰出し部と巻取り部をサーマルヘッド挿入部分を挟んで両側に有するカセット９７の繰出し軸９７ａに巻かれて収容され、先端は反対側の巻取り軸９７ｂに巻かれ、巻取り軸９７ｂ側の巻取りローラ９８の駆動によってフィルム送りが行われる。この転写フィルムＦはカラー印刷と黒字印刷と保護膜の形成が可能なように、カードＣの大きさに相当する転写層が面順次に形成されている。上記転写層は、例えば、３色の熱昇華性インクで構成されたカラー印刷用のイエロー転写部、マゼンタ転写部、シアン転写部と、黒色転写部と、保護膜形成用のオーバーコート転写部とが、順次繰り返して形成されている。
【００５１】
上記第１の記録部６による印刷は、まず、送られてきたカードＣに転写フィルムＦを介してサーマルヘッド９を当て、プラテンモータ７０の駆動によってプラテンローラ６３および両キャプスタンローラ６１，６２を回転させてカードＣを高精度に搬送しつつ、パソコンからの画像信号に応じて所定のパターンでサーマルヘッド９の加熱制御を行い、カードＣの往復移動と転写フィルムＦの送りと、サーマルヘッド９の上下動とを連係して作動制御する。
【００５２】
ｅ．第２の記録部（エンコーダユニット）
次に、第２の記録部７としての磁気エンコーダユニットの例について説明する。第２の記録部７は、例えば３対の搬送ローラ９９を内装して図の右から左方向に、逆に左から右方向にカードＣを搬送可能であり、この搬送経路に沿ってカードＣの磁気ストライプに接して情報を磁気記録する図示しない磁気記録ヘッドと、記録された情報を読み取る読取りヘッドとを備えている。また、その制御回路には書き込んだ情報と読み取った情報とを照合し、所定の情報が書き込まれているか否かの記録状態の異常を判別する判別手段を備えている。この判別手段によって書込みエラーが生じた場合には、その信号に基づき第２の記録部７から第２反転ユニット５Ｂに送出されたカードＣ（異常記録媒体）は、この第２反転ユニット５Ｂの右方向への搬送によってリジェクト部４に排出される。
【００５３】
上記第２の記録部７によるエンコーダ書込み処理のフローチャートを図１５に示す。第２の記録部７にカードＣが搬入されると、パソコンから送出されたデータに基づき、これを変換したエンコードデータを磁気記録ヘッドによってカードＣのデータ記録部（磁気ストライプ）に書き込む（ステップＳ１）。次に上記データ記録部に書き込まれたデータを読取りヘッドによって読み込む（Ｓ２）。
【００５４】
そして、記録状態を判別する判別手段として、ステップＳ３で読み込んだデータと書き込んだデータとを比較照合し、両データが一致しているときには正常判定によりそのままエンコーダ書込みを終了して、カードＣを第２反転ユニット５Ｂに搬送し、次の工程に移行する。一方、上記照合が不一致で書込み不良が生じている場合には、ステップＳ４を経て前記ステップＳ１に戻り、再度エンコードデータの書込みを行う。この書込みを所定回数（例えば３回）繰り返してもステップＳ３の照合が不一致の場合にはステップＳ４のＹＥＳ判定で、エラーカードとしてエンコーダ異常の終了処理を行う。
【００５５】
なお、第２の記録部７によってカードＣに正常にデータの書込みを行った後に、搬送系統でエラーが発生してエラーカードとなった場合には、機密保持の観点から上記データ記録部に書き込んだ磁気データは消去した後にカードＣをリジェクト部４に排出するものである。
【００５６】
以上のように構成された本例の情報記録装置の作用を説明する。本例においては、第１の記録部６および第２の記録部７ともに右側に搬入口が設定され、記録媒体供給部２と搬入口との間に転送部５が設置されるとともに、第２の記録部７の左側には記録媒体排出部３が設置されていないことで、この情報記録装置を使用してカードＣに印刷記録を行うとともに、第２の記録部７で情報記録を行うについて、前記転送部５によってスイッチバック方式のカード搬送を行うものであり、このカードＣの搬送経路の例を示す。
【００５７】
−搬送例１−
この搬送経路は図１６に示し、本例はカードＣの片面に印刷し、情報記録を印刷より先に行うものである。
【００５８】
まず記録媒体供給部２からのカードＣは転送部５の第１反転ユニット５Ａに送られ、搬送駆動モータ２６の駆動によって搬送され、第２センサーＳ２によってカードＣの先端を検出後、この検出に基づき所定量搬送して第１反転ユニット５Ａのセンターで停止する。この後、反転駆動モータ３２の駆動により、第１反転ユニット５Ａを正面から見て反時計回りに９０゜回転させた状態で、カードＣを搬送して第２反転ユニット５Ｂに渡す。搬送されたカードＣは、第３センサーＳ３によって先端が検出されて、第２反転ユニット５Ｂのセンタで停止する。続いて、第２反転ユニット５Ｂを時計回りに９０゜回転させて元の状態に戻してから、カードＣを搬送して第２の記録部７に送り込む。
【００５９】
そして、この第２の記録部７で情報書込みを行い、書込みが終わったカードＣを逆方向に搬送して、第２反転ユニット５ＢがカードＣを受け取る。次に第２反転ユニット５Ｂを時計回りに９０゜回転させた状態で第１反転ユニット５ＡにカードＣを渡してセンタに停止した後、反時計回りに９０゜回転させて元の位置に回転してから、第１反転ユニット５Ａからクリーニング手段８を介して第１の記録部６にカードＣを送り込む。この第１の記録部６でカードＣの片面（上面）に印刷を行う。印刷後のカードＣは記録媒体排出部３からスタッカ１１に排出される。
【００６０】
−搬送例２−
この搬送経路は図１７に示し、本例は上記搬送例１において両面印刷を行う場合である。
【００６１】
まず、上記と同様に記録媒体供給部２からのカードＣは第１反転ユニット５Ａに送られ、これを９０゜回転させて第２反転ユニット５Ｂに渡し、第２の記録部７に送り込む。そして、この第２の記録部７で情報書込みを行い、書込みが終わったカードＣを第２反転ユニット５Ｂに戻し、次に第２反転ユニット５Ｂを９０゜回転させて第１反転ユニット５ＡにカードＣを渡して、元の位置に回転してから第１反転ユニット５Ａからクリーニング手段８を介して第１の記録部６にカードＣを送り込む。この第１の記録部６でカードＣの表面に印刷を行い、印刷の終わったカードＣを逆方向に搬送して第１反転ユニット５Ａに戻す。
【００６２】
その際、上記第１反転ユニット５Ａは１８０゜回転させた状態、すなわち、搬送ローラ１７が上方に位置する状態でカードＣを受け取り、センタに停止させるものであり、その後、第１反転ユニット５Ａを反時計回りに１８０゜回転させてカードＣの表裏を反転させて、裏面が上に向いた状態のカードＣをクリーニング手段８を介して第１の記録部６に搬送し、同様に裏面の印刷を行う。
【００６３】
この印刷後のカードＣは、そのまま記録媒体排出部３からスタッカ１１に排出するか、両面のデータ記録部に情報書込みを行う場合には、前記と同様にして第２の記録部７に搬送して情報記録した後に第１の記録部６を介して排出するものである。
【００６４】
なお、両面のデータ記録部に情報記録を行う場合に、片面の情報書込みと印刷を終了した時点で、第１反転ユニット５Ａ（または第２反転ユニット５Ｂ）によってカードＣを反転させ、再び第２の記録部７に転送して裏面のデータ記録部に書込みを行った後に、第１の記録部６に搬送して裏面の印刷を行うようにしてもよい。また、印刷処理の前に、第２反転ユニット５Ｂの反転作動によって第２の記録部７で両面のデータ記録部に書込み処理を行った後、第１の記録部６で両面印刷を行って排出するようにしてもよい。
【００６５】
−搬送例３−
この搬送経路は図１８に示し、本例はカードＣの片面に先に印刷してから情報記録を行うものである。
【００６６】
まず記録媒体供給部２からのカードＣは転送部５の第１反転ユニット５Ａに送られ、この第１反転ユニット５Ａからクリーニング手段８を介して第１の記録部６にカードＣを送り込む。この第１の記録部６でカードＣの片面に印刷を行う。印刷後のカードＣは逆方向に搬送して第１反転ユニット５Ａに戻し、これを９０゜回転させて第２反転ユニット５Ｂに渡し、第２反転ユニット５Ｂをもとの状態に戻してから第２の記録部７に送り込む。そして、この第２の記録部７で情報書込みを行い、書込みが終わったカードＣを第２反転ユニット５Ｂに戻し、次に第２反転ユニット５Ｂを９０゜回転させて第１反転ユニット５ＡにカードＣを渡して、第１の記録部６を介してスタッカ１１に排出する。
【００６７】
−搬送例４−
この搬送経路は図１９に示し、本例は上記搬送例３において両面印刷を行う場合である。
【００６８】
まず、記録媒体供給部２からのカードＣは、同様に第１反転ユニット５Ａからクリーニング手段８を介して第１の記録部６に送られ、この第１の記録部６でカードＣの表面に印刷を行ってから第１反転ユニット５Ａに戻し、第２反転ユニット５Ｂに渡して第２の記録部７に送り込む。そして、この第２の記録部７で表面に情報書込みを行ったカードＣを第２反転ユニット５Ｂに戻し、第１反転ユニット５ＡにカードＣを渡して、この第１反転ユニット５Ａを１８０゜反転した状態で第１の記録部６に送って裏面の印刷を行う。
【００６９】
この印刷後のカードＣは、そのまま記録媒体排出部３のスタッカ１１に排出するか、両面のデータ記録部に情報書込みを行う場合には、前記と同様にして第２の記録部７に搬送して情報記録した後に第１の記録部６を介して排出するようにしてもよい。
【００７０】
なお、両面のデータ記録部に情報記録を行う場合に、片面の印刷と情報書込みを終了した時点で、第２の反転ユニットを１８０゜回転させてカードＣを反転させて再び第２の記録部７に送って裏面のデータ記録部に書込みを行った後に、第１の記録部６に搬送して裏面の印刷を行うようにしてもよい。また、第１反転ユニット５Ａの反転作動により第１の記録部６で両面印刷を先に行ってから、第２の記録部７に搬送し、同様に第２反転ユニット５Ｂの反転作動によって第２の記録部７で両面のデータ記録部に書込み処理を行った後、第１の記録部６を介して排出するようにしてもよい。
【００７１】
＜第２の実施の形態＞
図２０は本実施の形態の情報記録装置の正面構成図である。本例の情報記録装置は、装置本体１の一方側の上部の記録媒体供給部２と、他方側の上部の記録媒体排出部３との間に、第１の記録部６と転送部５が第１の実施の形態と逆の順に設置されている。上記第１の記録部６の下方に第２の記録部７が、記録媒体供給部２の下方にリジェクト部４が設置されている。
【００７２】
前記記録媒体供給部２、第１の記録部６（プリンタユニット）、クリーニング手段８は、前例のものと同様に構成されている。また、第２の記録部７（エンコーダユニット）についても、基本構造は前例と同様のものであるが、その搬入口は反対側に位置し、搬入口と反対側のリジェクト部４に面する部分には、エラーカードの排出口が設けられている。
【００７３】
また、前記転送部５は、前例と同様に上方の第１反転ユニット５Ａと下方の第２反転ユニット５Ｂとを備え、搬送ローラ１７によるカードＣの搬送と、回転枠２０の回転によるカードＣの９０゜回転と１８０゜回転とが行えるように設けられている。
【００７４】
以上のように構成された本例の情報記録装置の作用を説明する。本例においては、第１の記録部６は右側に搬入口が設定され、第２の記録部７は左側に搬入口が設定され、第１の記録部６の搬出口と第２の記録部７の搬入口とを連結するように転送部５が設置されていることで、この記録装置を使用してカードＣに印刷記録を行うとともに、第２の記録部７で情報記録を行うについて、前記転送部５によってＵターン方式のカード搬送を行うものであり、このカードＣの搬送経路の例を示す。
【００７５】
−搬送例５−
この搬送経路は図２１に示し、本例はカードＣの片面に先に印刷してから情報記録を行うものである。
【００７６】
まず記録媒体供給部２からのカードＣは、クリーニング手段８を介して第１の記録部６に送られ、この第１の記録部６でカードＣの片面に印刷を行う。印刷後のカードＣは、転送部５の第１反転ユニット５Ａに送られ、第１反転ユニット５Ａを９０゜回転させて第２反転ユニット５Ｂに渡し、第２反転ユニット５Ｂをもとの状態に回転を戻してから第２の記録部７に送り込む。そして、この第２の記録部７で情報書込みを行い、書込みが終わったカードＣを第２反転ユニット５Ｂに戻し、次に第２反転ユニット５Ｂを９０゜回転させて第１反転ユニット５ＡにカードＣを渡して、元の位置に回転してスタッカ１１に排出する。
【００７７】
−搬送例６−
この搬送経路は図２２に示し、本例は上記搬送例５において両面印刷を行う場合である。
【００７８】
まず、記録媒体供給部２からのカードＣは、同様にクリーニング手段８を介して第１の記録部６に送られ、この第１の記録部６でカードＣの表面に印刷を行ってから第１反転ユニット５Ａに送られ、第２反転ユニット５Ｂに渡して第２の記録部７に送り込む。そして、この第２の記録部７で表面に情報書込みを行ったカードＣを第２反転ユニット５Ｂに戻し、第１反転ユニット５ＡにカードＣを渡して、この第１反転ユニット５Ａを１８０゜回転してカードＣの表裏を反転した状態で再び第１の記録部６に送って裏面の印刷を行う。
【００７９】
この印刷後のカードＣは、第１反転ユニット５Ａを介してそのままスタッカ１１に排出するか、両面のデータ記録部に情報書込みを行う場合には、前記と同様にして第２の記録部７に搬送して情報記録した後に、第２反転ユニット５Ｂから第１反転ユニット５Ａにより排出するようにしてもよい。
【００８０】
なお、両面のデータ記録部に情報記録を行う場合に、片面の印刷と情報書込みを終了した時点で、第２の反転ユニットを１８０゜回転させてカードＣを反転させて再び第２の記録部７に送って裏面のデータ記録部に書込みを行った後に、第１の記録部６に搬送して裏面の印刷を行うようにしてもよい。また、第２の記録部７による情報書込みの前に、第１反転ユニット５Ａの反転作動によって第１の記録部６で両面の印刷を行った後、第２の記録部７に搬送して両面のデータ記録部に書込み処理を行うようにしてもよい。
【００８１】
＜第３の実施の形態＞
図２３は本例の情報記録装置の正面構成図である。本例の情報記録装置は、装置本体１の一方側の上部に記録媒体供給部２が、下部にリジェクト部４が、これと対向する他方側の下部に記録媒体排出部３が設けられている。記録媒体供給部２と記録媒体排出部３との間の上部に転送部５と第１の記録部６が、上記第１の記録部６の下方には第２の記録部７が設置されている。さらに、記録媒体排出部３の外部にはスタッカ１１が設けられている。すなわち、前記第１の実施の形態の記録媒体排出部３を下段位置に変更した例である。
【００８２】
前記記録媒体供給部２、転送部５、第１の記録部６（プリンタユニット）、クリーニング手段８は、第１の実施の形態のものと同様に構成されている。また、第２の記録部７（エンコーダユニット）についても、基本構造は同様のものであるが、第２反転ユニット５Ｂ側の搬入口と反対側には、記録媒体排出部３に連続する排出口が設けられている。
【００８３】
以上のように構成された本例の情報記録装置の作用を説明する。本例においては、第１の記録部６および第２の記録部７は右側に搬入口が設定され、その搬入側に転送部５が、第２の記録部７の左側に記録媒体排出部３が設定されていることで、この記録装置を使用してカードＣに印刷記録を行うとともに、第２の記録部７で情報記録を行うについて、前記転送部５によってスイッチバック方式のカード搬送を行うものであり、このカードＣの搬送経路の例を示す。
【００８４】
−搬送例７−
この搬送経路は図２４に示し、本例はカードＣの片面に先に印刷してから情報記録を行うものである。
【００８５】
まず記録媒体供給部２からのカードＣは転送部５の第１反転ユニット５Ａに送られ、第１反転ユニット５Ａからクリーニング手段８を介して第１の記録部６にカードＣを送り込む。この第１の記録部６でカードＣの片面に印刷を行う。印刷後のカードＣは逆方向に搬送して第１反転ユニット５Ａに戻し、これを９０゜回転させて第２反転ユニット５Ｂに渡し、第２反転ユニット５Ｂをもとの状態に回転を戻してから第２の記録部７に送り込む。そして、この第２の記録部７で情報書込みを行い、書込みが終わったカードＣをそのまま第２の記録部７の排出口からスタッカ１１に排出する。
【００８６】
−搬送例８−
この搬送経路は図２５に示し、本例は上記搬送例７において両面印刷を行う場合である。
【００８７】
まず、記録媒体供給部２からのカードＣは、同様に第１反転ユニット５Ａからクリーニング手段８を介して第１の記録部６に送られ、この第１の記録部６でカードＣの表面に印刷を行ってから第１反転ユニット５Ａに戻し、第２反転ユニット５Ｂに渡して第２の記録部７に送り込む。そして、この第２の記録部７で表面に情報書込みを行ったカードＣを第２反転ユニット５Ｂに戻し、第１反転ユニット５ＡにカードＣを渡して、この第１反転ユニット５Ａを１８０゜反転した状態で第１の記録部６に送って裏面の印刷を行う。
【００８８】
この印刷後のカードＣは、第１反転ユニット５Ａ、第２反転ユニット５Ｂから第２の記録部７を介してスタッカ１１にそのまま排出するか、両面のデータ記録部に情報書込みを行う場合には、第２の記録部７を通る際に情報記録を行った後に排出する。
【００８９】
なお、両面のデータ記録部に情報記録を行う場合に、第１反転ユニット５Ａの反転作動により第１の記録部６で両面印刷を先に行ってから、第２の記録部７に搬送し、同様に第２反転ユニット５Ｂの反転作動によって第２の記録部７で両面のデータ記録部に書込み処理を行ってから排出するようにしてもよい。
【００９０】
−搬送例９−
この搬送経路は図２６に示し、本例はカードＣに情報を書き込んでから、片面に印刷を行うものである。
【００９１】
まず記録媒体供給部２からのカードＣは転送部５の第１反転ユニット５Ａに送られ、これを９０゜回転させて第２反転ユニット５Ｂに渡し、第２反転ユニット５Ｂをもとの状態に回転を戻してから第２の記録部７に送り込む。そして、この第２の記録部７で情報書込みを行い、書込みが終わったカードＣを第２反転ユニット５Ｂに戻し、次に第２反転ユニット５Ｂを９０゜回転させて第１反転ユニット５ＡにカードＣを渡して、元の位置に回転してから第１反転ユニット５Ａからクリーニング手段８を介して第１の記録部６にカードＣを送り込む。この第１の記録部６でカードＣの片面に印刷を行う。印刷後のカードＣは、第１反転ユニット５Ａ、第２反転ユニット５Ｂから第２の記録部７を介してスタッカ１１に排出される。
【００９２】
−搬送例１０−
この搬送経路は図２７に示し、本例は上記搬送例９において両面印刷を行う場合である。
【００９３】
まず、上記と同様に記録媒体供給部２からのカードＣは第１反転ユニット５Ａに送られ、これを９０゜回転させて第２反転ユニット５Ｂに渡し、第２の記録部７に送り込む。そして、この第２の記録部７で情報書込みを行い、書込みが終わったカードＣを第２反転ユニット５Ｂに戻し、次に第２反転ユニット５Ｂを９０゜回転させて第１反転ユニット５ＡにカードＣを渡し、第１反転ユニット５Ａからクリーニング手段８を介して第１の記録部６にカードＣを送り込む。この第１の記録部６でカードＣの表面に印刷を行い、印刷の終わったカードＣを第１反転ユニット５Ａに戻し、この第１反転ユニット５Ａを１８０゜回転させた状態で裏面が上に向いた状態のカードＣを第１の記録部６に送り、同様に裏面の印刷を行う。
【００９４】
この印刷後のカードＣは、そのまま第２の記録部７を介してスタッカ１１に排出するか、両面のデータ記録部に情報書込みを行う場合には、この第２の記録部７を通過する際に情報の書込みを行って排出する。
【００９５】
なお、両面のデータ記録部に情報記録を行う場合に、片面の情報書込みと印刷を終了した時点で、第１の反転ユニットまたは第２の反転ユニットを１８０゜回転させてカードＣを反転させた状態で、再び第２の記録部７に転送して裏面のデータ記録部に書込みを行った後に、第１の記録部６に搬送して裏面の印刷を行うようにしてもよい。また、印刷処理の前に、第２反転ユニット５Ｂの反転作動によって第２の記録部７で両面のデータ記録部に書込み処理を行った後、第１の記録部６で両面印刷を行って排出するようにしてもよい。
【００９６】
＜第４の実施の形態＞
図２８は本実施例の形態の情報記録装置の正面構成図である。本例の情報記録装置は、上記第３の実施の形態のように装置本体１の一方側の上部に記録媒体供給部２が、下部にリジェクト部４が、これと対向する他方側の下部に記録媒体排出部３が設けられている。また、転送部５は第２の実施の形態のように排出側に設置されている。すなわち、前記第２の実施の形態の記録媒体排出部３を下段位置に変更した例である。
【００９７】
前記記録媒体供給部２、転送部５、第１の記録部６（プリンタユニット）、クリーニング手段８、第２の記録部７（エンコーダユニット）は、第２の実施の形態のものと同様に構成されている。
【００９８】
以上のように構成された本例の情報記録装置の作用を説明する。本例においては、第１の記録部６は右側に搬入口が設定され、第２の記録部７は左側に搬入口が設定され、第１の記録部６の搬出口と第２の記録部７の搬入口とを連結するように転送部５が設置されるていることで、この記録装置を使用してカードＣに印刷記録を行うとともに、第２の記録部７で情報記録を行うについて、前記転送部５によってＵターン方式のカード搬送を行うものであり、このカードＣの搬送経路の例を示す。
【００９９】
−搬送例１１−
この搬送経路は図２９に示し、本例はカードＣの片面に先に印刷してから情報記録を行うものである。
【０１００】
まず記録媒体供給部２からのカードＣは、クリーニング手段８を介して第１の記録部６に送られ、カードＣの片面に印刷を行う。印刷後のカードＣは、転送部５の第１反転ユニット５Ａに送られ、第１反転ユニット５Ａを９０゜回転させて第２反転ユニット５Ｂに渡し、第２反転ユニット５Ｂから第２の記録部７に送り込む。そして、この第２の記録部７で情報書込みを行い、書込みが終わったカードＣを第２反転ユニット５Ｂを介してそのままスタッカ１１に排出する。
【０１０１】
−搬送例１２−
この搬送経路は図３０に示し、本例は上記搬送例１１において両面印刷を行う場合である。
【０１０２】
まず、記録媒体供給部２からのカードＣは、同様にクリーニング手段８を介して第１の記録部６に送られ、カードＣの表面に印刷を行ってから第１反転ユニット５Ａに送られ、第２反転ユニット５Ｂに渡して第２の記録部７に送り込む。そして、この第２の記録部７で表面に情報書込みを行ったカードＣを第２反転ユニット５Ｂに戻し、第１反転ユニット５Ａに渡して、この第１反転ユニット５Ａを１８０゜回転してカードＣの表裏を反転した状態で再び第１の記録部６に送って裏面の印刷を行う。
【０１０３】
この印刷後のカードＣは、第１反転ユニット５Ａから第２反転ユニット５Ｂを介してそのままスタッカ１１に排出するか、両面のデータ記録部に情報書込みを行う場合には、前記と同様にして第２の記録部７に搬送して情報記録した後に、第２反転ユニット５Ｂにより排出するようにしてもよい。
【０１０４】
なお、両面のデータ記録部に情報記録を行う場合に、片面の印刷と情報書込みを終了した時点で、第２の反転ユニットを１８０゜回転させてカードＣを反転させて再び第２の記録部７に送って裏面のデータ記録部に書込みを行った後に、第１の記録部６に搬送して裏面の印刷を行うようにしてもよい。また、第２の記録部７による情報書込みの前に、第１反転ユニット５Ａの反転作動によって第１の記録部６で両面の印刷を行った後、第２の記録部７に搬送して両面のデータ記録部に書込み処理を行うようにしてもよい。
【０１０５】
前記のような各実施の形態においては、転送部５は上下に反転ユニットを設置してカードＣを第１の記録部６と第２の記録部７とに搬出入可能に設けているが、この転送部５としては、上記反転ユニットを１つ設置して上下に移動可能に設けて、この昇降移動する反転ユニットにより第１の記録部６および第２の記録部７に対するカードＣの搬出入、およびカードＣの反転を行うように構成しても、前記と同様の搬送が行えるものである。
【０１０６】
なお、クリーニング手段８が片面のみのクリーニングを行うものでは、印刷を行う直前にクリーニング処理を施すことが好ましく、他の方式のクリーニング手段８の採用等によってその設置部が変更可能である。
【０１０７】
さらに、前記各実施の形態においては、上部に配置した第１の記録部６としてはプリンタユニットであり、下部に配置した第２の記録部７としてエンコーダユニットの例を示しているが、その上下配置としては第２の記録部７を上部に第１の記録部６を下部に配置するようにしてもよいが、プリンタユニットの方が転写フィルムカセット９７の交換、サーマルヘッド９の点検等の保守作業が必要であり、その作業性を考慮すると上部に配置した方が作業性の改善等では有利となる。
【０１０８】
また、第１の記録部６および第２の記録部７ともにプリンタユニットまたはこれと転写ローラで構成し、カラー画像の印刷、文字印刷、保護層の形成、ホログラム印刷等の各種印刷を組み合わせて行う際に、複数のプリンタユニットを上下に設置して小型化を図るようにしてもよい。同様に、第１の記録部６および第２の記録部７をともにエンコーダユニットで構成し、異なる種類、記録方式の情報記録を行うように構成してもよい。
【図面の簡単な説明】
【図１】本発明の第１の実施の形態における情報記録装置の正面構成図
【図２】転送部の概略構造を示す要部正面図
【図３】同部の駆動系統を示す要部背面図
【図４】同部の右側面図
【図５】同部の平面図
【図６】クリーニング手段の要部正面図
【図７】同手段のカバーおよび内部フレームを除去した状態の要部正面図
【図８】同手段の左側面図
【図９】同手段のスライドテーブルを引き出した状態の左側面図
【図１０】同手段の平面図
【図１１】第１の記録部の搬送ユニットを示す概略正面図
【図１２】同部の平面図
【図１３】同部の送出ローラを除いた左側面図
【図１４】同部の駆動系を示す概略背面図
【図１５】第２の記録部のエンコーダ書込み処理を示すフローチャート図
【図１６】第１の実施の形態における第１の搬送例を示す経路図
【図１７】同第２の搬送例を示す経路図
【図１８】同第３の搬送例を示す経路図
【図１９】同第４の搬送例を示す経路図
【図２０】本発明の第２の実施の形態における情報記録装置の正面構成図
【図２１】第２の実施の形態における第５の搬送例を示す経路図
【図２２】同第６の搬送例を示す経路図
【図２３】本発明の第３の実施の形態における情報記録装置の正面構成図
【図２４】第３の実施の形態における第７の搬送例を示す経路図
【図２５】同第８の搬送例を示す経路図
【図２６】同第９の搬送例を示す経路図
【図２７】同第１０の搬送例を示す経路図
【図２８】本発明の第４の実施の形態における情報記録装置の正面構成図
【図２９】第４の実施の形態における第１１の搬送例を示す経路図
【図３０】同第１２の搬送例を示す経路図
【符号の説明】
１    装置本体
２    記録媒体供給部
３    記録媒体排出部
４    リジェクト部
５    転送部
６    第１の記録部（プリンタユニット）
７    第２の記録部（エンコーダユニット）
８    クリーニング手段
９    サーマルヘッド
Ｃ    カード
Ｆ    転写フィルム
１１    スタッカ
１３    未処理カードスタッカ
５Ａ    第１反転ユニット
５Ｂ    第２反転ユニット
１７    搬送ローラ
１８    ウェイトローラ
２０    回転枠
２２    反転軸
２６    搬送駆動モータ
３２    反転駆動モータ
６１，６２    キャプスタンローラ
６３    プラテンローラ
６４，６５    ピンチローラ
６６    送出ローラ
９０    サーマルヘッドユニット
９８    巻取りローラ
９９    搬送ローラ
【図１】
0003722432.tif 000002
【図２】
0003722432.tif 000003
【図３】
0003722432.tif 000004
【図４】
0003722432.tif 000005
【図５】
0003722432.tif 000006
【図６】
0003722432.tif 000007
【図７】
0003722432.tif 000008
【図８】
0003722432.tif 000009
【図９】
0003722432.tif 000010
【図１０】
0003722432.tif 000011
【図１１】
0003722432.tif 000012
【図１２】
0003722432.tif 000013
【図１３】
0003722432.tif 000014
【図１４】
0003722432.tif 000015
【図１５】
0003722432.tif 000016
【図１６】
0003722432.tif 000017
【図１７】
0003722432.tif 000018
【図１８】
0003722432.tif 000019
【図１９】
0003722432.tif 000020
【図２０】
0003722432.tif 000021
【図２１】
0003722432.tif 000022
【図２２】
0003722432.tif 000023
【図２３】
0003722432.tif 000024
【図２４】
0003722432.tif 000025
【図２５】
0003722432.tif 000026
【図２６】
0003722432.tif 000027
【図２７】
0003722432.tif 000028
【図２８】
0003722432.tif 000029
【図２９】
0003722432.tif 000030
【図３０】
0003722432.tif 000031